Podtech/llm-jp-corpus-v4-ja_patent huggingface dataset:
(57)【要約】【課題】  空気が透過することにより、根付や根張りが良くなり、植物の成長を促進し素焼の鉢と同じ効果を得ることができる。また、破損を防止でき大型のものは重量を軽くでき、入手もしやくすなる園芸用容器を提供する。【解決手段】プラスチック製等の容器（１）の外周に外面より内面に貫通する適宜な数の穴（２）を設けたことを特徴とする。【選択図】図１
2014076035.tif 000002
【特許請求の範囲】
【請求項１】
プラスチック製等の容器（１）の外周に外面より内面に貫通する適宜な数の穴（２）を設けた園芸用容器。
【発明の詳細な説明】
【技術分野】
【０００１】  この発明は、プラスチック製等の容器の外周に、外面より内面に貫通する適宜な数の穴を設け、容器の内面に空気が透過するようにした園芸用容器に関するものである。
【背景技術】
【０００２】  従来、植木鉢は素焼やプラスチック製等のものが用いられているが、素焼きの鉢は空気を内面に透過する性質を有しているが、プラスチック製等の鉢は空気を透過する性質を有していない。
【先行技術文献】
【０００３】
【発明の概要】
【発明が解決しようとする課題】
【０００４】  これには次のような欠点があった。
素焼きの鉢は破損しやすく、大型のものは入手が難しかったり、高価であったり、また、重量も重くなり移動するにも困難な場合がある。本発明はこれらの欠点を解決するためになされたものである。
【課題を解決するための手段】
【０００５】  プラスチック製等の容器（１）の外周に適宜の数の外周より内面に貫通する穴（２）を設けた。
本発明は以上の構成からなる園芸用容器である。
【発明の効果】
【０００６】  落としたり倒したりしても破損が防げ、重量も軽くでき、大型のものは価格も安くなり、入手もしやすくなる。また外周に穴を設けることにより、素焼きの鉢と同様に空気を透過する性質を有する事ができる。また、空気を透過する性質をもたせることで、素焼きの鉢と同じように植物の根付きや、根張りが良くなり成長を促進することができる。
【図面の簡単な説明】
【０００７】
【図１】  本発明の構造をあらわした斜視図である。
【発明を実施するための形態】
【０００８】  以下、本発明の実施の形態を説明する。
プラスチック製等の容器（１）の外面より内面に貫通する適宜の数の穴（２）を設ける。
本発明は以上のような構造であり、これを使用するときは、プラスチック製等の容器（１）の中に土を入れ、種を蒔いたり、苗を植え付ける。
【符号の説明】
【０００９】  １．プラスチック製等の容器
２．穴
【図１】
2014076035.tif 000003
(57)【要約】【課題】  従来は、胡麻と中華麺は別々であった。従って不便であった。また歯の悪い方や入れ歯の方は胡麻が義歯などに挟まり痛みや不快感があった。そこで不便や痛み不快感などを解消するため、麺と胡麻を一つにした中華麺の製造過程のなかでいった胡麻を練りこんだ胡麻入り中華麺を提供する。【解決手段】中華麺の製造過程においてすった胡麻を練りこんでいれて中華麺とすった胡麻が一つになった胡麻入り中華麺製法【特許請求の範囲】
【請求項１】
製造過程の中華麺にいった胡麻を練り合わせた胡麻入り中華麺製法
【請求項２】
ペースト状にしたピーナッツ２味噌０．５胡麻１砂糖０．１の割合で混ぜあわせた冷やし胡麻麺のタレ製法
【発明の詳細な説明】
【技術分野】
【０００１】  この発明は、製造過程の中華麺にすったゴマを練りこんだゴマ入り中華麺に関するものである。
【背景技術】
【０００２】  従来、胡麻と中華麺は別々になっていた。
【発明の概要】
【発明が解決しようとする課題】
【０００３】  これはつぎのような問題点があった。
必要なときに、胡麻が見つからず、あるいは歯が丈夫でない方や入れ歯の方にとってすってない胡麻が義歯などに挟まり痛みや不快感があり、不便な場合が多かった。
この発明は、以上のような欠点をなくすためになされたものである。
【課題を解決するための手段】
【０００４】  中華麺の製造過程においてすった胡麻を中華麺と一緒に練りあわせる製法で完成させた胡麻入り中華麺である。
【発明の効果】
【０００５】  中華麺のなかにすでに胡麻が練りこんであるので、食べるとき胡麻をかける手間が省け、歯が悪い方や入れ歯の方も痛みや不快感を持たず食べることができ、また胡麻の風味で食欲が増進されると同時に体に良いとされる胡麻を摂取できる。
(57)【要約】      （修正有）【課題】製造作業性、清掃作業効率の良い竹箒を提供する。【解決手段】竹、または、プラスチックの柄１の先端部に約１５ｃｍ前後の幅の２枚の板２−１，２−２を前後平行に２カ所約１０〜２０ｃｍ離してボルトや針金４、ひも等でしっかりと固定し、穂先３となる竹の小枝を１０〜２０本まとめ針金５等で縛り束を作り、この束４〜６個を穂先が斜めになるように、少しずつ位置をずらして、板の前後の間に収まるように取り付け、固定し、または、板の代わりに、プラスティック製の割り型で取付け具を作り、束状の穂先をその間に取り付け、固定し、以上の構成よりなる竹箒。【選択図】図１
2014076254.tif 000002
【特許請求の範囲】
【請求項１】
竹、または、プラスチックの柄の先端部に１５〜２０ｃｍ前後の幅の２枚の板を前後平行に２カ所約１０〜２０ｃｍ離してボルトや針金、ひも等でしっかりと固定し、穂先となる竹の小枝を１０〜２０本まとめ針金等で縛り束を作り、この束状の穂先を４〜６個板状に横に広くして（幅約２０〜３０ｃｍ）穂先が斜めになるように少しずつ位置をずらして、板の前後に収まるように取り付け、固定した竹箒の製造方法。
【請求項２】
板の代わりにプラスティック製取付け具を用いる場合には、束状の穂先を４〜６個穂先が斜めになるように、少しずつ位置をずらして、２枚のプラスティック製取付け具の間に挟み、針金やひもで穴を通して縫い付け、固定し、
穂先を取り付けたプラスティック製取付け具と竹、または、プラスティックの柄とをボルトや針金等で固定した請求項１の竹箒の製造方法。
【請求項３】
本発明の竹箒は、土やコンクリート面の屋外を掃除するときの箒の製造に関するものであるが、座敷箒等にも応用展開でき、穂先材料としては、天然のシダやキビ、プラスティック系のＰＶＣ、ＰＰ、ナイロン等の比較的柔かい弾性のあるものを用い、
プラスティック製取付け具に穂先材料を一列に平らに取り付け、柄が短い場合は穂先の長さを揃える方法で作り、請求項２に準じた箒の製造方法。
【発明の詳細な説明】
【技術分野】
【０００１】本発明は外掃除を楽に作業し、作業効率の良い竹箒の製造方法に関するものである。
【背景技術】
【０００２】従来、竹箒は竹の柄に穂先を丸棒状に束ねたものを針金で結束したものが使われていた。
【先行技術文献】
【特許文献】
【０００３】
【特許文献１】  実用新案登録３０７８３９０号公報
【特許文献２】  特開  ２００８−２４８号公報
【発明の概要】
【発明が解決しようとする課題】
【０００４】竹の小枝を竹の柄に巻き付け、針金で縛る方法で作られ、非常に手間がかかり、製造の作業性が悪かった。
竹箒は使用時、穂先が丸棒上であるため、接地面積が小さく作業効率が非常に悪かった。
本発明は、以上の問題点を解決するためになされたものである。
【課題を解決するための手段】
【０００５】竹、またはプラスチックの柄の先端部に約１５〜２０ｃｍ前後の幅の２枚の板を前後平行に２カ所約１０〜２０ｃｍ離してボルトや針金、ひも等でしっかりと固定する。
穂先となる竹の小枝を１０〜２０本まとめ針金等で縛り束を作る。
この束４〜６個を穂先が斜めになるように、少しずつ位置をずらして、板の前後の間に収まるように取り付け、固定する。
または、板の代わりに、プラスティック製の割り型で取付け具を作り、束状の穂先をその間に取り付け、固定する。
以上の構成よりなる竹箒。
【発明の効果】
【０００６】穂先の形状を丸棒状から板状に横に広くして（幅約２０〜３０ｃｍ）穂先を斜めに取り付けることにより接地面を大きくとり、作業し易く、楽に効率的に掃除をすることができる。
人は掃除を行うとき、両腕を体から少し離し、柄の穂先を前に出し、１０〜６０°の角度をつけて作業するため、接地面が広くかつ均一に力がかかるので、楽に効率よく作業できる。
また、穂先が摩耗した場合には、穂先を新しいものと交換するだけで、新品として再生でき、環境にやさしい再生が可能となる。
竹の小枝の長短を使用するため、ロスが少なく、材料の有効活用ができ、製造も簡単で、安価な竹箒の提供が可能となる。
【図面の簡単な説明】
【０００７】
【図１】  本発明の正面図
【図２】  本発明の束状の穂先の説明図
【図３】  本発明の板を取付る状態を示した説明図
【図４】  本発明のプラスティック製取付け具を説明した斜視図
【発明を実施するための形態】
【０００８】以下、本発明の実施の形態を説明する。
（イ）竹、または、プラスチックの柄（１）の先端部に約１５〜２０ｃｍ前後の幅の２      枚の板（２）を前後平行に柄を挟んで、上下２カ所約１０〜２０ｃｍ離してボルト      や針金（４）、ひも等でしっかりと固定する。
（ロ）板（２）は厚さ約５ｍｍ程度、幅約１５〜２０ｃｍ、高さ約３ｃｍ程度のものを      用い、穂先の方（２−２）は約２０ｃｍ、上の方（２−１）は約１５ｃｍ程度の幅      とする。
板（２）は柄（１）に対して直角に取り付ける。
（ハ）穂先となる竹の小枝を長短２種類に区分し、それぞれ１０〜２０本まとめ針金（      ５）やひも等で２箇所縛り、束状の穂先（３）を作る。
長短の小枝を使用するため、ロスを少なくすることができる。
縛る位置によって、箒の柔軟性や腰の強さを調整することができる。
接地面の近くを縛ると、腰が強い箒となる。
（ニ）この束状の穂先（３）を４〜６個板状に横に広くして（幅約２０〜３０ｃｍ）穂      先が斜めになるように、少しずつ位置をずらして、板の前後の間に差し込み、板（      ２）に針金（４）やひもで取り付け、固定する。
（ホ）板の代わりにプラスティック製取付け具（６）を用いる場合には、束状の穂先（      ３）を４〜６個穂先が斜めになるように、少しずつ位置をずらして、２枚のプラス      ティック製取付け具（６）の間に挟み、針金（５）やひもで穴（８）を通して縫い      付け、固定する。
（ヘ）穂先（３）を取り付けたプラスティック製取付け具と竹、または、プラスチック      の柄（１）とをボルトや針金（７）等で固定する。
ＰＶＣやＰＰなどプラスチックを使用することにより、カラフルな竹箒を作ること      ができる。
本発明は以上のような構造である。
本発明を使用するときは、従来の竹箒と同じように柄を持って行うが、穂先の短い方を手前、長い方を奥に向けると穂先の接地面が広く均一に当たり、掃除を楽に、効率よく行うことが可能である。
（ト）なお、実施の形態における寸法、材質、形状、その相対的位置などは特に限定さ      れる旨の記載がない限り、発明の範囲をそれらのみに限定するものではなく、単な      る説明例に過ぎない。
【符号の説明】
【０００９】    １  竹の柄
２  板
３  束状の穂先
４  針金（板固定用）
５  針金（穂先固定用）
６  プラスティック製取付け具
７  針金（柄と取付け具固定用）
８  穴
【図１】
2014076254.tif 000003
【図２】
2014076254.tif 000004
【図３】
2014076254.tif 000005
【図４】
2014076254.tif 000006
(57)【要約】【課題】加齢に伴い顔の表情筋が衰え、皮膚がたるみシワができるなどの老化現象がある。【解決手段】両頬にフィットさせたフェイスパッド部分１に電動肩たたき器（ポイント式ハンドタイプ）４の上下運動を伝達させることにより下眼瞼、皺眉筋、頬筋、上唇挙筋等の表情筋、深層表情筋を刺激させ、皮膚の血行をよくし、顔面脂肪を燃焼させ、筋肉の活性化を促すことにより、シワやたるみを抑制・除去する。顔部左右の筋肉を同時に動かすことにより効率のよい表情筋のトレーニングを可能にした。【選択図】図１
2014076246.tif 000002
【特許請求の範囲】
【請求項１】
顔を挟み込むように左右の頬にフィットさせたフェイスパッド１に電動肩たたき器（ポイント式ハンドタイプ）４の上下運動を伝達させ、顔部左右の筋肉を同時に動かすことにより効率のよい表情筋のトレーニングを可能にする。
【発明の詳細な説明】
【技術分野】
【０００１】この発明は、顔の皮膚や表情筋に一定の上下運動を与えることにより、老化に起因するシワやたるみなどを抑制又は除去することを目的とするものである。
【背景技術】
【０００２】表情筋は顔の表情を創出し、人の喜怒哀楽を表現しますが、日常は意識的に使用されることが稀有で、加齢や使用頻度の低下により、顔の皮膚やパーツの支持力が減衰し、萎縮により、フェイスラインが崩れ、シワやたるみの原因となり外観的な老化が顕著となる。
【発明の概要】
【発明が解決しようとする課題】
【０００３】従来技術では、手動でフェイスアップローラーを使用し、フェイスラインに沿って、左右交互に刺激を与えるのが一般的であり、効率的な表情筋トレーニングとはいえない点がある。【０００４】また、エステティックサロン等のサービスを利用していた方も多々おられ、時間的制約を余儀なくされてきた。
【課題を解決するための手段】
【０００５】本発明品は、硬化した顔部左右の表情筋に同時に上下運動を与え、筋肉運動させることにより、これを弛緩し、皮膚の新陳代謝を高め、血液循環を改善する。【０００６】また、使用においては、他者の介在を要せず、時間的制約を軽減し、継続的な使用が容易なものとする。
【発明の効果】
【０００７】顔を挟み込むよう左右の頬にフィットさせたフェイスパッド部分１にアタッチメント２を経由し、電動肩たたき器（ポイント式ハンドタイプ）４の上下運動を伝達させ、下眼瞼、皺眉筋、頬筋、上唇挙筋等の表情筋及び深層表情筋に刺激を与え、皮膚の血行を改善し、顔面脂肪を燃焼させ、筋肉の活性化を促すことにより、シワやたるみを抑制・除去することができる。【０００８】使用者の任意の時間を利用し、任意の場所において使用が可能であるため、時間的制約が軽減され、継続的使用効果が見込める。
【図面の簡単な説明】
【０００９】
【図１】本発明の実施形態を示す正面全体図
【図２】本発明の上部
【図３】本発明の下部
【発明を実施するための形態】
【００１０】以下、本発明の実施の形態を図１、図２及び図３に基づいて説明する。
【００１１】１のフェイスパッドは自在に動かせ、両頬に密着させることができる。
【００１２】２のアタッチメント部分は両頬を挟みやすく調整でき、また持ちやすく構成されている。
【００１３】３はアタッチメント部と電動肩たたき器とを容易に装着可能にするため、電動肩たたき器（ポイント式ハンドタイプ）の突起部分と同一サイズのゴム製接合部である。
【００１４】４は市場に流通している一般的な電動肩たたき器（ポイント式ハンドタイプ）である。
【符号の説明】
【００１５】１  フェイスパッド
２  アタッチメント部
３  アタッチメント部分と電動肩たたき器（ポイント式ハンドタイプ）接合部
４  電動肩たたき器（ポイント式ハンドタイプ）
【図１】
2014076246.tif 000003
【図２】
2014076246.tif 000004
【図３】
2014076246.tif 000005
(57)【要約】【課題】    本発明は、海外旅行に行く際に必要な書類を１カ所にまとめて保管ができ、また取り出しやすく、かつ貴重品である書類を盗難すり等から守るためにストラップを付けたパスポートケースを提供する。【解決手段】  ケース本体は航空券を折り曲げずに収納できるようにポケットサイズを横寸約２２０ｍｍ、縦寸約１００ｍｍとする。ホックでふたを固定すると見えなくなる本体前面部にペンホルダーとカードを入れるスリットを有する。本体裏側上部片側に盗難防止用ストラップを付ける取り付け具を有する。盗難防止用取り付け具に付けられる接続具の付いたストラップを取り付ける。【選択図】図２
2014076250.tif 000002
【特許請求の範囲】
【請求項１】
ケース本体は、航空券を折り曲げずに収納できるようにポケットサイズを横寸約２２０ｍｍ、縦寸約１００ｍｍとし、ホックでふたを固定すると見えなくなる本体の前面部にペンホルダーとカードを入れるスリットを有するパスポートケース。
【請求項２】
本体の裏側の上部の片側に盗難防止用ストラップを付ける取り付け具を固定し、盗難防止用取り付け具に付けられる接続具を有したストラップを取り付けた請求項１のパスポートケース。
【発明の詳細な説明】
【技術分野】
【０００１】  本発明は、海外旅行に行く際に必要な書類を１カ所にまとめて保管ができ、また、取り出しやすく、かつ貴重品である書類を盗難、すりなどから守るために工夫したストラップを付けたパスポートケースに関するものである。
【背景技術】
【０００２】  海外の旅行に行くときに必要な書類には、パスポート、航空券、出入国カードなどがある。
飛行場で、出入国の際、すぐに取り出す必要があるため、手に持ち歩くことが多い。
また、上記書類以外でも搭乗手続きの際はマイレージカード、そして、出入国カード記入の際には筆記具も必要である。
【発明の概要】
【発明が解決しようとする課題】
【０００３】  本発明は、海外の旅行をするときに必要な書類や道具をひとまとめにスッキリと収納することができる。
また、ストラップでパスポートケースをバックや身体に取り付けることによって、盗難、すりなどの被害を防ぐためになされたものである。
【課題を解決するための手段】
【０００４】  ケース本体は、航空券を折り曲げずに収納できるようにポケットサイズを横寸約２２０ｍｍ、縦寸約１００ｍｍとする。
ホックでふたを固定すると見えなくなる本体の前面部にペンホルダーとカードを入れるスリットを有する。
本体の裏側の上部の片側に、盗難防止用ストラップを付ける取り付け具を有する。
盗難防止用取り付け具に付けられる接続具の付いたストラップを取り付ける。
以上の構成からなるパスポートケース。
【発明の効果】
【０００５】  本発明を使えば、海外の旅行をするときに必要な書類や道具をひとまとめにスッキリと収納することができる。
また、ストラップでパスポートケースをバックや身体に取り付けることによって、盗難、すりなどの被害を防止することができる。
【図面の簡単な説明】
【０００６】
【図１】  本発明のホックで止めた際の正面図。
【図２】  本発明のホックを開けた際の正面図。
【図３】  本発明のパスポートケースに書類や道具を入れるイメージの説明図。
【図４】  本発明のストラップを付けた本体の背面図。
【図５】  本発明のストラップを手に通したときのイメージの説明図。
【図６】  本発明のストップをバックに固定した場合のイメージの説明図。
【発明を実施するための形態】
【０００７】  以下本発明の実施の形態を説明する。
（イ）本体（１）は、皮革、布、合成樹脂などのシート状の素材から裁断し、カード挿入    口、ホック穴、盗難防止ストラップ取り付け具の穴を設ける。
（ロ）（イ）と同様に筆記具入れ（３）も裁断する。
（ハ）本体（１）と筆記具入れ（３）を縫製などにより固定する。
（ニ）本体（１）にホック（４）とストラップ取り付け具（５）を固定する。
（ホ）本体（１）の両側面を縫製などにより固定し内部ポケットを設ける。
（ヘ）ストラップ（６）をストラップ取り付け具（５）に固定する。
【０００８】  内部ポケットには、札入れ、小銭入れなどの収納部を追加しても良い。
カード挿入口（２）筆記具入れ（３）の形状は、入れるカード、道具のサイズに合わせて変更しても良い。
【符号の説明】
【０００９】    １  本体
２  カード挿入口
３  筆記具入れ
４  ホック
５  ストラップ取り付け具
６  ストラップ
【図１】
2014076250.tif 000003
【図２】
2014076250.tif 000004
【図３】
2014076250.tif 000005
【図４】
2014076250.tif 000006
【図５】
2014076250.tif 000007
【図６】
2014076250.tif 000008
(57)【要約】【課題】  ネクタイの筒状のハンガーで、インテリアとしても見栄えが良く、お洒落な、ネクタイを入れる円筒を連結し、ネクタイを一目で選べるように工夫したネクタイハンガーを提供する。【解決手段】  ネクタイを円形状に巻いて入れる円筒を複数個、複数段、連結させ、その上部に吊り具を設けたことを特徴とするネクタイハンガー。【選択図】図１
2014076245.tif 000002
【特許請求の範囲】
【請求項１】
ネクタイを円形状に巻いて入れる円筒を複数個、複数段、連結させ、その上部に吊り具を設けたことを特徴とするネクタイハンガー。
【発明の詳細な説明】
【技術分野】
【０００１】  この発明は、ネクタイの筒状のハンガーで、インテリアとしても見栄えが良く、お洒落な、ネクタイを入れる円筒を連結し、ネクタイを一目で選べるように工夫したネクタイハンガーに関するものである。
【背景技術】
【０００２】  従来、ネクタイはタンスやクローゼットの扉の裏のネクタイ掛けに吊り下げて保管していた。
また、ネクタイを掛けられるハンガーも多数ある（特許文献１、２、３参照）。
また、ネクタイを円筒状の収納ケースに入れ、その収納ケースを陳列するネクタイ収納ケース、及びその陳列装置がある（特許文献４参照）。
また、ネクタイ巻取り機能を備え、ネクタイを円筒状の収納ケースに保管するネクタイ収納器がある（特許文献５参照）。
【先行技術文献】
【特許文献】
【０００３】
【特許文献１】  特開２０００−５０３３号公報
【特許文献２】  実用新案登録第３０５９５０４号公報
【特許文献３】  実用新案登録第３０７９４６２号公報
【特許文献４】  特開２００８−３５９７９号公報
【特許文献５】  実公開平２−４５０７０号公報
【発明の概要】
【発明が解決しようとする課題】
【０００４】  これは、次のような欠点があった。
（イ）タンスの裏のネクタイ掛けはネクタイがずれ落ちてやっかいであった。
また、ワンルームに住む若者など、部屋が狭くなるのでタンスを置かない人もいた。
そのような場合、ネクタイ掛けがないので、洋服と一緒にハンガーに掛けたり棚の上に置いたりして、ネクタイだけを専用に置く場所がなかった。
（ロ）ネクタイを掛けられるハンガーの場合、ネクタイを二つ折りにして吊り下げているので、見えない所にしまっておくにはいいが、部屋の見えるところに置くには、ネクタイがぶらぶらしていて洗濯物を部屋に干しているようで見栄えが悪く、インテリアとしてはあまり優れているものではなかった。
（ハ）ネクタイを円筒状の収納ケースに入れ、その収納ケースを陳列する、ネクタイ収納ケース、及びその陳列装置の場合、収納装置から収納ケースを取り、さらに、収納ケースから一旦心棒を取り出し、その心棒にネクタイを巻きつけて収納ケースにしまい、その収納ケースを収納装置に置かなければならず、面倒であるし、そもそも収納ケースをなくしてしまったら収納できなくなってしまうということが起こりうる。
（ニ）ネクタイ巻取り機能を備え、ネクタイを円筒状の収納ケースに保管する、ネクタイ収納器の場合、ネクタイを巻くためだけのために、わざわざ巻取りピンにネクタイを掛け、ノブを回してネクタイを巻くという作業は、非常に面倒であり時間のロスでもあり、ネクタイは簡単に手で巻けるので、全くもって必要のない機能である。
また、ネクタイを巻取りピンに掛け、ノブを回す機能は、このハンガーの表裏両面に何の障害物もない場合には使用できるが、片方が壁面に接している場合、この巻取り機能を使用することはできない。
巻取り機能を使用するには、一旦、この機器を何の障害物のない場所に移動しなければならず、全くもって不便極まりないネクタイ収納器である。
本発明は、以上のような欠点をなくすためになされたものである。
【課題を解決するための手段】
【０００５】  ネクタイを円形状に巻いて入れる複数の円筒を連結させ、上部に吊り具を設けた。
本発明は、以上を特徴とするネクタイハンガーに関するものである。
【発明の効果】
【０００６】（イ）ネクタイを円形状に巻いて円筒に入れるので、タンスの中のネクタイ掛けのようにずれ落ちることがない。また、ネクタイ用ハンガーなのでタンスがなくてもネクタイを収納できる。
（ロ）ネクタイを円形状に巻いて円筒に入れるので、ネクタイを二つ折にして掛けるハンガーみたいにぶらぶらして見栄えが悪いということがない。
また、本発明はスケルトンでできているもの、色がついてあるもの、木で出来ているもの、いろいろなバリエーションがあるので、部屋にあわせて部屋に合うものを使用すれば、部屋の見えるところにあってもお洒落であり、インテリアとして見栄えが良い。
（ハ）本発明は全て一体構造なので、ネクタイ収納ケース、及びその陳列装置のようにネクタイ収納部をなくすこともなく、ネクタイを巻いて入れるだけなので収納に面倒な手間がかからない。
（ニ）本発明は、ネクタイ巻取り機能などつけておらず、無駄な機能を一切つけていないのでシンプルかつ美しい。ネクタイを入れるか出すかだけなので簡単である。
また壁面に掛けてもネクタイの出し入れができる。
【図面の簡単な説明】
【０００７】
【図１】  本発明の斜視図である。
【図２】  本発明の使用状態を示した斜視図である。
【発明を実施するための形態】
【０００８】  以下、本発明を実施するための形態について説明する。
ネクタイ（３）を円形状に巻いて入れる円筒（１ａ）、円筒（１ｂ）を複数個、複数段、連結させ、上部に吊り具（２）を設ける。
本発明は以上のような構造である。
本発明を使用するときは、ネクタイ（３）を円形状に巻いて円筒（１）に入れるだけでよい。
一週間、あるいは、二週間単位で、ネクタイの整理ができて、ネクタイのお洒落を楽しむことができる。
また、ネクタイだけでなく、アクセサリー類を入れておくこともできる。
他の実施例を説明する。
円筒（１ａ）、円筒（１ｂ）の数、連結したときの形を三角、四角、丸、または、いろいろな形にすることもできる。
本発明の材質は問わない。
また、色をつけたり、スケルトンにしたり、木で作ったり、様々なバリエーションにすることもできる。
吊る具の部分を取り外せるようにして、置物のようにすることもできる。
また、円筒（１ａ）、円筒（１ｂ）を段ごと、列ごと、又は個別に取り外したり、組み合わせたりすることもできる。
【符号の説明】
【０００９】  １ａ  円筒
１ｂ  円筒
２    吊り具
３    ネクタイ
【図１】
2014076245.tif 000003
【図２】
2014076245.tif 000004
(57)【要約】【課題】外見はいかに優雅でも、その実、必死の闘争がそこにはある。「水泳」は横に寝そべって行うのは比較的楽であるが、「水球」の場合のように、縦に、プールの底に対して垂直の、厳しい姿勢を保ちつつ、しかも、「水中の格闘技」を演じる、「闘う」のは、なかなか困難、大変である。そこが「水球」の面白いところ、という意見もあるにはあるが、球技なんだから、いっそそれなら玉を追うのを止めて水上、水中格闘技にしたらどうか？と言う異説もある。願わくは「水球」を健全なスポーツとしてとらえ、「水球」の持つ球技としての面白さ、魅力を、より一層増す方法、というのが本件の問題意識である。【解決手段】競技場足るプールの「水」に「塩」を混ぜ、結果生み出される「塩水」の比重を上げ、該プールにおける水泳関連の選手の体重の比重を相対的に下げることによって、該水泳関連の選手の行動をより自由、活発足らしめる。【選択図】なし【特許請求の範囲】
【請求項１】
競技場足るプールの「水」を塩分以外の「水溶液」に変え、当該「水溶液」の比重を上げ、該プールにおける水泳関連の選手の体重の比重を相対的に下げることによって、該水泳関連の選手の行動をより自由、活発足らしめる方法及び装置。
【発明の詳細な説明】
【技術分野】
【０００１】他の多くのスポーツと同じく、水泳にも、得意な人と苦手な人がいる、が、しかし、水泳については、個人的に何ら、一切の鍛練、努力をすることなしに、飛躍的に技量、体力的な向上を見込める必殺技がある。
【背景技術】
【０００２】「水球」という水上の球技があるが、この「水球」は、敵対する選手たちとのぶつかり合いの、激しさ、乱暴さから、一説によると「水中の格闘技」と言われる反面、観客席からの目には、まるで白鳥が水面上を優雅に美しく舞っているがごときに写る。
その相反する球技の真実の姿は、選手たちの溺れまいと必死の、足による水掻きに尽きる、というのが、ある一面においては、真実の本当の正直な姿である。
【先行技術文献】
【特許文献】
【０００３】
【特許文献１】「水」「プール」「比重」の３語を含む文章で探しましたが、見つけられませんでした。
【発明の概要】
【発明が解決しようとする課題】
【０００４】外見はいかに優雅でも、その実、必死の闘争がそこにはある。
「水泳」は横に寝そべって行うのは比較的楽であるが、「水球」の場合のように、縦に、プールの底に対して垂直の、厳しい姿勢を保ちつつ、しかも、「水中の格闘技」を演じる、「闘う」のは、なかなか困難、大変である。
そこが「水球」の面白いところ、という意見もあるにはあるが、球技なんだから、いっそそれなら玉を追うのを止めて水上、水中格闘技にしたらどうか？と言う異説もある。
願わくは「水球」を健全なスポーツとしてとらえ、「水球」の持つ球技としての面白さ、魅力を、より一層増す方法、というのが本件の問題意識である。
【課題を解決するための手段】
【０００５】競技場足るプールの「水」に「塩」を混ぜ、結果生み出される「塩水」の比重を上げ、該プールにおける水泳関連の選手の体重の比重を相対的に下げることによって、該水泳関連の選手の行動をより自由、活発足らしめる。【０００６】競技場足るプールの「水」を「水溶液」に変えるとともに、当該「水溶液」の比重を上げ、該プールにおける水泳関連の選手の体重の比重を相対的に下げることによって、該水泳関連の選手の行動をより自由、活発足らしめる。
【発明の効果】
【０００７】「塩」を混ぜた水というのは、古来海水として我々人間に親しまれており、想定外の不都合も起こりにくい。
万一飲した場合にも、辛いだけであろう。
また「塩」以外の物質であっても、当該「水溶液」が人体に無害であれば構わない。
(57)【要約】【課題】  切断に際して、クラックやバリが生じやすいガラスフィルム、プラスチックフィルム等の薄状体を、レーザやウォータジェットを使用せずに、前記クラックやバリが生じないように切断する方法を提供する。【解決手段】  薄状体１１の両面の、切断想定ライン１１１上に、帯状のゲル体１２が貼着される。薄状体１１は、ガラスフィルム、プラスチックフィルムまたはこれらの積層体であってもよいし、ガラスフィルム、プラスチックフィルムまたはこれらの積層体を基礎材としていてもよい。薄状体１１は、ゲル体１２とともに、鋏、ナイフにより切断される。また、打ち抜き刃を備えた抜き型を用いて切断することもできる。【選択図】  図１
2014076516.tif 000002
【特許請求の範囲】
【請求項１】
切断対象である薄状体の一方の面または両方の面に、少なくとも、切断想定ライン上に、板状または帯状のゲル体を貼着し、前記薄状体を前記ゲル体とともに切断することを特徴とする薄状体の切断方法。
【請求項２】
前記薄状体を、鋏、ナイフ、打ち抜き型または裁断機により切断することを特徴とする請求項１に記載の薄状体の切断方法。
【請求項３】
前記薄状体が、ガラスフィルム、プラスチックフィルムまたはこれらの積層体であること、またはガラスフィルム、プラスチックフィルムまたはこれらの積層体を基礎材とする積層体であることを特徴とする請求項１または２に記載の薄状体の切断方法。
【発明の詳細な説明】
【技術分野】
【０００１】
本発明は、切断に際して、クラックやバリが生じやすいガラスフィルム、プラスチックフィルム等の薄状体を、前記クラックやバリが生じないように切断する方法に関する。
【背景技術】
【０００２】
従来、ガラスフィルム、ハードコートフィルム等の薄状体は、刃（ブレードやナイフ）による切断加工（カッティングやパンチング）に際して、クラックやバリが生じる。
このためこれらの薄状体は、通常、レーザ装置により切断したり、ウォータジェット装置により切断する（特許文献１，特許文献２）。
【先行技術文献】
【特許文献】
【０００３】
【特許文献１】特開２００９−２４２１８５
【特許文献２】ＷＯ９９／４６２１１
【発明の概要】
【発明が解決しようとする課題】
【０００４】
レーザ装置による切断では、燃えカスが製品に付着することがある。また、ウォータジェット装置により切断では、精度が悪い。
本発明は、切断に際して、クラックやバリが生じやすいガラスフィルム、プラスチックフィルム等の薄状体を、レーザやウォータジェットを使用せずに、前記クラックやバリが生じないように切断する方法を提供することを目的とする。
【課題を解決するための手段】
【０００５】
本発明は、以下を要旨とする。
（１）
切断対象である薄状体の一方の面または両方の面に、少なくとも、切断想定ライン上に、板状または帯状のゲル体を貼着し、前記薄状体を前記ゲル体とともに切断することを特徴とする薄状体の切断方法。
（２）
前記薄状体を、鋏、ナイフ、打ち抜き型または裁断機により切断することを特徴とする（１）に記載の薄状体の切断方法。
請求項１に記載の薄状体の切断方法。
（３）
前記薄状体が、ガラスフィルム、プラスチックフィルムまたはこれらの積層体であること、またはガラスフィルム、プラスチックフィルムまたはこれらの積層体を基礎材とする積層体であることを特徴とする（１）または（２）に記載の薄状体の切断方法。
【発明の効果】
【０００６】
切断に際して、クラックやバリが生じやすいガラスフィルム、プラスチックフィルム等であっても、前記クラックやバリが生じないように切断することができる。
【図面の簡単な説明】
【０００７】
【図１】本発明の一実施形態を示す説明図であり、（Ａ）は斜視図、（Ｂ）は断面図である。
【図２】本発明の他の実施形態を示す説明図であり、（Ａ）は斜視図、（Ｂ）は断面図である。
【図３】図２の実施形態を詳しく説明する図である。
【発明を実施するための形態】
【０００８】
図１は本発明の一実施形態を示す説明図であり、（Ａ）は斜視図、（Ｂ）は断面図である。
図１（Ａ），（Ｂ）において切断対象である薄状体１１の両面の、切断想定ライン１１１上に、帯状のゲル体１２が貼着されている。
この薄状体１１は、ガラスフィルム、プラスチックフィルムまたはこれらの積層体であってもよい。また、この薄状体１１は、ガラスフィルム、プラスチックフィルムまたはこれらの積層体を基礎材としていてもよい。薄状体１１は、ゲル体１２とともに、鋏、ナイフにより切断される。
【０００９】
図２は本発明の一実施形態を示す説明図であり、（Ａ）は斜視図、（Ｂ）は断面図である。
図２（Ａ），（Ｂ）において切断対象である薄状体２１の片面の、切断想定ライン２１１上に、帯状のゲル体２２が貼着されている。
この薄状体２１は、ガラスフィルム、プラスチックフィルムまたはこれらの積層体であってもよい。また、この薄状体２１は、ガラスフィルム、プラスチックフィルムまたはこれらの積層体を基礎材としていてもよい。
薄状体２１は、ゲル体２２とともに、図３に示すように打ち抜き型３０により切断される。抜き型３０は基板３１に刃３２が立設されており、下定盤３３２上にセットされている。薄状体２１は、刃３２の側にゲル２２が位置するように、抜き型３０と上定盤３３１との間にセットされる。
なお、抜き型３０を上定盤３３１にセットすることもできる。この場合にも、薄状体２１は、刃３２の側にゲル２２が位置するように、抜き型３０と上定盤３３１との間にセットされる。
【００１０】
なお、図１の実施形態では、ゲル体１２を帯状としたが、薄状体１１の両面全面に板状に形成することもできる。また、図２，図３の実施形態でも、ゲル体２２を帯状としたが、薄状体２１の片面全面に板状に形成することもできる。
【符号の説明】
【００１１】
１１，２１  薄状体
１２，２２  ゲル体
３０  抜き型
３１  基板
３２  刃
３３１  上定盤
３３２  下定盤
【図１】
2014076516.tif 000003
【図２】
2014076516.tif 000004
【図３】
2014076516.tif 000005
(57)【要約】      （修正有）【課題】軽量でコンパクトに収納可能な、ライト内蔵カラーコーン（登録商標）の提供。【解決手段】コーン２を風船のように膨らませる形にしたため、収納時はほぼ底板３のみの重量と体積になり、運搬時の制約を解除した。また、風船のように合成樹脂の薄い幕を使用しているため光を通し、内臓した小型ライト０の光がコーン２を浮かびあがらせる構造にした。【選択図】図３
2014206031.tif 000002
【特許請求の範囲】
【請求項１】
底板の上に取り付けた、気体を充填すると円錐形に膨らむ、合成樹脂製の皮膜で出来た膨らむコーンを本体とし、コーンを内部から照らし出す照明用ライトとその収納ポケットと蓋、そして空気を注入し密封した後、外部に露出しているチューブを底板内部に押し込めるための、チューブのフレキシブルな袴とチューブの栓と空気注入口の蓋を備えた、膨らませる光るカラーコーン。
【発明の詳細な説明】
【技術分野】
【０００１】本発明は、軽量でしかもコンパクトに収納し、持ち運びし易くするため、風船の様に空気を注入して膨らませる形式によるカラーコーンである。本発明は、自動車はもとより、オートバイや自転車でも搭載・運搬出来る上、ライトを内臓し、夜間の利用と使用者の安全確保に心を込めた、膨らませる光るカラーコーンに関するものである。
【背景技術】
【０００２】従来、工事や危険箇所を知らせるには、一辺が４０ｃｍほどの方形の底板の上に、底面の直径が３０数ｃｍ、高さが６０数ｃｍの合成樹脂製のカラーコーンが使用されていた。
【発明の開示】
【発明が解決しようとする課題】
【０００３】従来のカラーコーンは、形状・色彩などの要件によって広く認知されており、他に代るものが見当たらないほどわれわれの日常生活に溶け込んでいる。しかしそれ故、事故現場に急行する警察官や白バイの隊員などのように、カラーコーンを携帯出来ない状況の中では、命を危険にさらしながらの任務になる。代行策として発炎筒なども有るが、持続時間が１０数分間と短く、発炎筒が切れて大事故になった事案も報告されている。また、夜間にはカラーコーンが見えないため、赤色ライトの警棒を振るが、カラーコーンが発する位置や間隔・広さなど多様な情報の全てを示すことは不可能で、規制する方もされる方も命を危険に晒しての行動になる。本発明は以上の問題点を解決するものである。
【課題を解決するための手段】
【０００４】カラーコーンを、風船のように膨らませて立ち上げる構造にした。
底板に、気体を注入すると円錐形に膨らむ合成樹脂の皮膜を取り付ける。
底板は極軽いコーンを安定させる重しの働きを兼ねており、小型ライトの収納ポケットと気体注入口の二個の蓋の付いた穴を持つ。ライト収納ポケットは、その上部を光を通す材質のカバーを取り付け空気の漏れるのを防ぐ構造とする。注入する気体は、呼気が主力となるためチューブを吹き口とし、着脱出来る栓を付ける。
その上、吹き口の周囲を底板の注入口の蓋と兼任させる構造とする。こうすると、チューブの気道の栓と空気注入口の蓋の２つが、お互いに補助し合う位置になる。呼気を注入する場合、吹き込んだ呼気の逆流を防ぐため、チューブを指で挟む。注入が完了すると、付属するチューブの栓をし、チューブ全体を注入口の蓋として、底板内部に押し込む。
夜間には、ライト収納ポケットの蓋を開け、内部に収納されているライトを点灯する。
膨らませる光るカラーコーンを収納する時は、呼気注入チューブの栓を外してコーン内部の空気を抜き、コーンをたたみ、底板に密着さる。
【発明の効果】
【０００５】本発明は、コーン本体が風船状であるため軽量であり、たたむとほぼ底板の大きさに収納出来る上、小型ライトを内臓、と３つの特色を有する。
軽量でコンパクト故、オートバイは言うに及ばず自転でも持ち運ぶことが可能になり、必要な時、必要な場所に設置出来るようになった。その上光るカラーコーンが夜間活躍するだろう事は論ずるまでも無く、必死に赤色警棒を振る警察官や警備員の力強い味方になる。一般の車両においても、従来の三角警報板にとって変わるもので、対向車のライトを反射して存在を示す消極的に光る受身の状態から、自ら能動的に光る本発明は、画期的な携帯型警告板となる。
【図面の簡単な説明】
【０００６】
【図１】膨らませる光るカラーコーンの正面図
【図２】底板の平面図
【図３】Ａ〜Ａ´の断面図
【図４】収納時の斜視図
【図５】ライト収納ポケットの断面図
【図６】空気注入口と呼気注入チューブの断面図
【図７】呼気注入チューブ注入時の断面図
【発明を実施するための最良の形態】
【０００７】方形の底板（３）の上部に、空気を充填すると円錐形に膨らむ、薄い合成樹脂の皮膜で出来た膨らむコーン（２）を取り付ける。底板（３）には、光がコーン内部全体に届き易くするため、中央部付近に小型のライトを設置するための、ライト収納ポケット（４）と、位置にはこだわらない空気注入口（５）の２つの穴を開ける。
底板（３）は、素材にはこだわらないが、膨らませる光るカラーコーン（１）を安定させる重しの役割も兼ねるための制約を受ける。ライト収納ポケット（４）は、採用する小型ライト（０）の大きさに合わせて作成するのが理想だが、技術の進歩を先取りする形で、多少大きめに作成する。ライト収納ポケットの上、コーン内部に向かう方向は、光を通すカバー（６）で密封する。下部にはライト収納ポケットの蓋（７）を付け、ライトを保護し保持する構造とする。空気注入口（５）は、呼気で注入しなければいけない場合を考慮し、出し入れの出来る柔軟性に富むチューブ（１１）を採用し、チューブの出し入れによって自在に変形するフレキシブルな袴（１２）で、チューブ（１１）と底板（３）を接続する。膨らませる時は、吹き込んだ呼気の逆流を防ぐため、２本の指でチューブ（１１）を挟み潰し、気道を塞ぐ構造を採用した。２本の指で挟み、気密性を保った状態でチューブ（１１）の気道にチューブの栓（１０）をする。チューブ（１１）にチューブの栓（１０）をすると、注入口をリング状に囲む底蓋（９）と３者合わせて、空気注入口の底蓋（９）になる。
作業が終了し、膨らませる光るカラーコーン（１）を収納する時は、空気注入口の栓（１０）を外し、内部の空気を抜いた後、膨らむコーン部分をたたみ収納する。
本発明は以上のような構造である。
【符合の説明】
【０００８】０  ライト    １  膨らませる光るカラーコーン    ２  膨らむコーン
３  底板    ４  ライト収納ポケット    ５  空気注入口
６  ライト収納ポケットの透明蓋    ７  ライトの収納ポケットの底蓋
８  ライト収納ポケット側板    ９  空気注入口の底蓋    １０  チューブの栓
１１  チューブ    １２  チューブのフレキシブルな袴
【図１】
2014206031.tif 000003
【図２】
2014206031.tif 000004
【図３】
2014206031.tif 000005
【図４】
2014206031.tif 000006
【図５】
2014206031.tif 000007
【図６】
2014206031.tif 000008
【図７】
2014206031.tif 000009
(57)【要約】【課題】従来の車両は、アクセルペダル操作による走行から制動停止を行う場合、アクセルペダルからブレーキペダルへの踏み変えが必要であった。制動停止に時間がかかりよって制動距離も長くなり事故に繋がる。また、ブレーキペダルとアクセルペダルの踏み間違いによる暴走もあり緊急時の事故が発生しやすい。【解決手段】車両のアクセル操作おいて、アクセルペダルを足底での踏み込みすることなく、ブレーキペダル上に足底を載せたまま膝を含む下腿部、又は身体の一部でアクセルペダルの操作ができるアクセルペダル操作機構と、ブレーキペダル踏み込みによるアクセルペダル強制戻し機構も有する安全性の高い、アクセルペダル操作装置を提供する。【選択図】図１
2014206962.tif 000002
【特許請求の範囲】
【請求項１】
従来の車両が有するアクセルペダルとブレーキペダルを改造取り外すことなく、ブレーキペダル上に足底を載せたまま、従来のアクセルペダル操作を、膝を含む下腿部、又は身体の一部の動作で、従来のアクセルペダルを可動できる機構を備えたアクセルペダル操作装置。
【請求項２】
膝を含む下腿部、又は身体の一部の動作で、従来のアクセルペダルを可動できる機構で操作したアクセルペダルを、ブレーキペダルの踏み込みで、強制的にアクセルペダルを戻す機構を有するアクセルペダル操作装置。
【請求項３】
膝を含む下腿部、又は身体の一部の動作で、従来のアクセルペダルを可動できる機構において、身体差により操作機構の位置変更機能を有するアクセルペダル操作装置。
【請求項４】
膝を含む下腿部、又は身体の一部の動作で、従来のアクセルペダルを可動できる機構において、車両への乗降における障害を回避できる機能を有するアクセルペダル操作装置。
【発明の詳細な説明】
【技術分野】
【０００１】  本発明は、車両の安全運転を考慮したアクセルペダル操作に関する。
【背景技術】
【０００２】  従来の車両には、走行時に操作するアクセルペダルやブレーキペダルは、アクセル専用に設けられるアクセルペダルと、ブレーキ専用に設けられるブレーキペダルとが別々設けられており、これらのペダル操作は、車両の運転者が足底で踏み込むことにより操作する。しかし、アクセル操作からブレーキ操作に移行する際、アクセルペダルからブレーキペダルへ移行する際に、操作するペダルを踏み変える必要がある。例えばアクセルペダルを操作している場合において、急に車両を制動停止させる必要がある場合、ペダルを踏み変えるのに時間がかかるため、早急なペダル操作の変更は困難なものとなっていた。
【発明の概要】
【発明が解決しようとする課題】
【０００３】  以上に述べた従来の車両は、アクセルペダルからブレーキペダルへ踏み変えるのに時間がかかっていた。制動停止に時間かかりよって制動距離も長くなる。また、ブレーキペダルとアクセルペダルの踏み間違いによる暴走もあり緊急時の事故が発生しやすいものであった。【０００４】  本発明は、このような従来の構成が有していた問題を解決しようとするものであり、安全性の高いアクセルペダル操作装置の実現を目的とするものである。
【課題を解決するための手段】
【０００５】  本発明は、ブレーキペダル上へ足底を載せたまま、アクセルペダル操作ができるアクセルペダル操作装置を構成したものである。【０００６】  本発明は、アクセルペダル操作はアクセルペダルを足底での踏み込み操作でなく、ブレーキペダル上へ足底を載せたまま、膝を含む下腿部、又は身体の一部動作でアクセルペダル操作できるアクセルペダル操作装置を構成したものである。【０００７】  本発明は、ブレーキペダルの踏み込みで、アクセルペダルを強制的に戻す機構を構成示したものである。【０００８】  本発明は、従来のアクセルペダルに操作可動部材を追加するだけで、容易に実施できるのを構成としたものである。【０００９】  本発明では、実施において従来のアクセルペダル操作と  ブレーキペダル操作を損なうことなく従来の操作運転ができる構成としたものである
【発明の効果】
【０００１０】  本発明の、アクセルペダル操作装置は、ブレーキペダル上へ足底を載せた状態でのアクセルペダル操作となり、アクセル操作解除からブレーキ操作への時間短縮が図られ、急な飛び出し等での車両の制動停止時間、制動停止距離が短くなり事故が削減できる安全性の高いアクセルペダル操作装置を提供できる。【００１１】また、ブレーキペダル上へ足底を載せた状態で、アクセルペダル操作装置によるアクセルペダル操作のため、慌てた状態ではアクセルペダルとブレーキペダルの踏み間違いで起こる暴走を防げる利点がある。
【図面の簡単な説明】
【００１２】
【図１】本発明の実施形態を示すアクセルペダル操作装置の正面図と側面図
【図２】本発明の膝含む下腿部でアクセルペダル操作装置可動状態の正面図
【図３】本発明のブレーキペダル操作によるアクセルペダル強制戻し構成図
【発明を実施するための形態】
【００１３】  以下、本発明の実施の形態について図１〜図３に基づいて説明する。
図１は、本発明のアクセルペダル操作装置の正面図と側面図であり、ブレーキペダル２へ足底を載せたまま膝及び下腿部９で弾性回転ローラー４を右側へ押し付け横軸レバー支点３を起点に横軸レバー５を下降させ、自在連結棒６でアクセルペダル１に装着した受金具７でアクセルペダル１を押込むことを示している。
【００１４】  図２は、ブレーキペダル２へ足底を載せたまま膝及び下腿部９で弾性回転ローラー４を右側へ押し付け横軸レバー支点３を起点に横軸レバー５を下降させ自在連結棒６でアクセルペダル１を押込み時の状態を示している。
【００１５】  図１、図２において、車両にある従来のアクセルペダル１とブレーキペダル２を取り除くことなく、本発明のアクセルペダル操作装置の設置で運転することができること示している。
【００１６】  図３は、ブレーキペダル２の踏み込みで強制的に、アクセルペダル強制戻しレバー１４でアクセルペダル１を戻す機構を示している。
【００１７】  本発明のアクセルペダル操作装置を設置しても、図１、図２にあるアクセルペダル１は、従来通り足底で踏み込み操作が可能で運転者を限定することなく，運転することができることを示している。
【００１８】  本発明は、身体差により縦軸左右調整金具１０、自在連結棒左右調整金具１１、弾性回転ローラー上下調整金具１２が、矢印方向へ位置変更できることを示している。
【００１９】  図１の側面図で弾性回転ローラー４は、跳ね上げができ車両への乗降における障害を回避できる機能を示している。
【符号の説明】
【００２０】１アクセルペダル
２ブレーキペダル
３横軸レバー支点
４弾性回転ローラー
５横軸レバー
６自在連結棒
７受け金具
８かかと
９膝含む下腿部
１０縦軸左右調整金具
１１自在連結棒左右調整金具
１２弾性回転ローラー上下調整金具
１３横軸支点取付金具
１４アクセルペダル強制戻しレバー
【図１】
2014206962.tif 000003
【図２】
2014206962.tif 000004
【図３】
2014206962.tif 000005
(57)【要約】      （修正有）【課題】音声認識により体重、血圧、体温、活動量、血糖値などの計測値を利用者が読み上げる音声を認識して数値データとして保存し、データを加工するシステムを提供する。【解決手段】携帯電話機、スマートフォン、タブレット、パーソナル・コンピュータなどに音声認識機能を含むアプリケーション・プログラムを実装し、計測結果の値を利用者が読み上げることで数値データ化して保存する。【選択図】図１
2014206961.tif 000002
【特許請求の範囲】
【請求項１】
音声認識により体重、血圧、体温、活動量、血糖値などの計測値を利用者が読み上げる音声を認識して数値データとして保存し、データを加工するシステム。
【発明の詳細な説明】
【技術分野】
【０００１】本発明は通信機器を利用した健康管理システムに関する。
【背景技術】
【０００２】パーソナルコンピュータ、携帯電話、スマートフォンなどの通信機器において、入力方式として人間の発する音声を文字列として認識する技術が存在する。これにより、通信機器に実行させたい機能を命令することができる。【０００３】体重計、血圧計、体温計、歩数計など家庭用または医療機関用の健康計測機器の中には無線または有線で通信機器と計測値などの情報を送受する機能を持つものがある。送られた情報がネットワークを介して遠隔地のサーバー・コンピュータなどに保存されるサービスが複数存在する。
【発明の概要】
【発明が解決しようとする課題】
【０００４】通信機能のない旧来の体重計、血圧計などの計測値を手書きで記録したり、パーソナルコンピュータの表計算ソフトウェアなどに入力するのは非常に手間がかかり、継続して記録に残し傾向を分析することが難しい。有線または無線の通信を利用して体重計などの計測値を送信して記録すると、この手間は大幅に省けるが、通信機能を持つ測定器は高額であり、クラウド・コンピューティングなどを使って記録を残す際には特定のメーカーのサービスなどを利用することになり、他のメーカーの機器に買い替えた場合などに計測記録を継続的に利用できるとは限らない。
【課題を解決するための手段】
【０００５】スマートフォンや携帯電話機で動作する音声認識アプリケーション・ソフトウェアにより、利用者が計測値を読み上げると数字データに変換して記録する。読み上げる数字が体重なのか体温なのかといった種別は音声またはタッチスクリーン上の操作によって弁別する。
【発明の効果】
【０００６】従来から販売されている既存の体重計、体温計、血圧計、血糖値計、活動量計など健康状態や運動の量などを計測する機器の計測値を既存の機器に改造等を加えることなくサーバーにアップロードして傾向を分析することができるので、特定のメーカーの機器に偏ることなく利用可能な健康管理システムを構築することができる。
【図面の簡単な説明】
【０００７】
【図１】音声記録システムの概念図である。
【発明を実施するための形態】
【０００８】利用者は体重計、血圧計、体温計、活動量計、血糖値計、心電計などの健康状態を数値化して計測する機器（図１の▲１▼）を通常の使用方法により使用して計測値を目視する。利用者は、音声記録システムで使用するためのアプリケーション・プログラムを予めインストールした携帯電話機、スマートフォン、タブレット、パーソナルコンピュータなどの通信機器（図１の▲２▼）で当該アプリケーション・プログラムを起動する。使用者は、音声によるコマンドまたはその他の入力デバイスによる指示により、これから読み上げる数値が体重なのか、体温であるのかなどを区別するための情報をまず入力する。当該アプリケーション・プログラムは音声入力が可能なモードとなり、利用者は数字を読み上げる。当該アプリケーション・プログラムが音声認識により認識された数値を、画面に表示するか、あるいは、音声合成により読み上げることにより、利用者は入力内容を確認し、音声記録システムのサーバー・コンピュータ（図１の▲３▼）にアップロードする。サーバー・コンピュータでは、アップロードされた情報を保管し、必要に応じて統計的な処理を行い、利用者その他に提示する。
【符号の説明】
【０００９】▲１▼は体重計、血圧計、活動量計、体温計、血糖値計、心電計など健康状態を数値で示す機器類である。
▲２▼は音声認識アプリケーションを搭載した携帯電話機、スマートフォン、タブレット、パーソナルコンピュータなど通信機能を持つ通信機器である。
▲３▼は計測値、測定日時などを保存し分析するためのサーバー装置である。
【図１】
2014206961.tif 000003